(57)【要約】【課題】鍵の不正使用を防止し、運用効率を向上させる。【解決手段】予め設定された１又は複数の鍵を保持するための鍵ホルダーにおいて、先端を通じて鍵に設けられた開口部に挿通されるような貫通部材と、貫通部材を内部に収容して前記鍵を抜け止めする鍵ホルダー本体と、前記鍵ホルダー本体に設けられ、予め設定された鍵情報を無線通信により外部と通信を行うためのＩＣタグと、前記貫通部材が切断された際、前記ＩＣタグによる外部との通信を遮断するための遮断部材を有することにより、上記課題を解決する。【選択図】図１
2009179969.tif 000002
【特許請求の範囲】
【請求項１】
予め設定された１又は複数の鍵を保持するための鍵ホルダーにおいて、
先端を通じて鍵に設けられた開口部に挿通されるような貫通部材と、
貫通部材を内部に収容して前記鍵を抜け止めする鍵ホルダー本体と、
前記鍵ホルダー本体に設けられ、予め設定された鍵情報を無線通信により外部と通信を行うためのＩＣタグと、
前記貫通部材が切断された際、前記ＩＣタグによる外部との通信を遮断するための遮断部材を有することを特徴とする鍵ホルダー。
【請求項２】
前記貫通部材が切断された場合に、前記遮断部材を前記ＩＣタグと前記ＩＣタグに記録された前記鍵情報を読み取る読み取り装置の間に移動させる弾性部材を有することを特徴とする請求項１に記載の鍵ホルダー。
【請求項３】
前記貫通部材は、ワイヤーを含み、前記ワイヤーが切断された場合には、前記遮断部材の保持が開放され、前記弾性部材により前記遮断部材を所定の方向に移動させることで、前記ＩＣタグによる外部との通信を遮断することを特徴とする請求項２に記載の鍵ホルダー。
【請求項４】
前記貫通部材は、数珠状に配列された複数の球体形状を含み、前記貫通部材が切断された場合には、前記球体形状により保持された前記遮断部材が開放され、前記弾性部材により前記遮断部材を所定の方向に移動させることで、前記ＩＣタグによる外部との通信を遮断することを特徴とする請求項２に記載の鍵ホルダー。
【請求項５】
前記貫通部材が切断された場合に、前記ＩＣタグの少なくとも一部を切断する切断手段を有することを特徴とする請求項１乃至４の何れか１項に記載の鍵ホルダー。
【請求項６】
前記貫通部材は、導線を含み、前記導線が切断時に前記ＩＣタグから前記鍵情報を送信するための電源の供給を遮断することを特徴とする請求項1に記載の鍵ホルダー。
【発明の詳細な説明】
【技術分野】
【０００１】
本発明は、鍵ホルダーに係り、特に鍵の不正使用を防止し、鍵を確実に管理することで業務の運用効率を向上させるための鍵ホルダーに関する。
【背景技術】
【０００２】
従来、警備会社やビル管理会社等が監視を依頼されている建物等の出入り口を解錠または施錠するための鍵や、機器の保守や点検のために必要な鍵を管理する場合、鍵が複数になり管理が煩雑であるため、同一フロアや同一のビル毎に鍵を纏め、鍵を束にしてホルダーにまとめ、対象先毎に管理する手法が一般的である。このとき、例えば一度束ねた鍵束から特定の鍵が抜き取られるのを阻止する機構が設けられたものが存在している（例えば、特許文献１参照。）。
【０００３】
なお、特許文献１では、切断が困難なワイヤー等に鍵を通して保管している。このように、複数の鍵をホルダーにして管理し、その鍵ホルダー等に管理会社名のロゴを表記したり、会社名のプレートを付けたりしておくことで、表記されるロゴマーク等により、その鍵がどの会社で管理されているかを明示し、不正な持ち出しを予め抑制して、合い鍵等を作らせないようにする等の効果もある。
【０００４】
また、鍵を鍵束の状態で管理ケースから不正に持ち出したり、鍵をホルダーから取り外したりした場合に、警告音を鳴らして、不正な持ち出しを検知することができるタグを備えた装置が存在している（例えば、特許文献２参照。）。
【特許文献１】実開平５−７１８２号公報
【特許文献２】特開２０００−２５１１６１号公報
【発明の開示】
【発明が解決しようとする課題】
【０００５】
しかしながら、上述したような従来の鍵管理方法では、複数の鍵の中から、重要な鍵が抜き取られていないか、本数の確認を定期的に行う必要がある。
【０００６】
本発明は、上記に鑑みてなされたものであって、鍵の不正使用や、不正な持ち出しを防止し、確実な鍵管理を行うことで、業務の運用効率を向上させるための鍵ホルダーを提供することを目的とする。
【課題を解決するための手段】
【０００７】
上記課題を解決するために、本件発明は、以下の特徴を有する課題を解決するための手段を採用している。
【０００８】
請求項１に記載された発明は、予め設定された１又は複数の鍵を保持するための鍵ホルダーにおいて、先端を通じて鍵に設けられた開口部に挿通されるような貫通部材と、貫通部材を内部に収容して前記鍵を抜け止めする鍵ホルダー本体と、前記鍵ホルダー本体に設けられ、予め設定された鍵情報を無線通信により外部と通信を行うためのＩＣタグと、前記貫通部材が切断された際、前記ＩＣタグによる外部との通信を遮断するための遮断部材を有することを特徴とする。
【０００９】
請求項１記載の発明によれば、鍵の不正使用を防止し、運用効率を向上させることができる。
【００１０】
請求項２に記載された発明は、前記貫通部材が切断された場合に、前記遮断部材を前記ＩＣタグと前記ＩＣタグに記録された前記鍵情報を読み取る読み取り装置の間に移動させる弾性部材を有することを特徴とする。
【００１１】
請求項２記載の発明によれば、容易且つ確実に遮断部材を移動させ通信を遮断することができる。これにより、早期に不正使用を把握することができる。
【００１２】
請求項３に記載された発明は、前記貫通部材は、ワイヤーを含み、前記ワイヤーが切断された場合には、前記遮断部材の保持が開放され、前記弾性部材により前記遮断部材を所定の方向に移動させることで、前記ＩＣタグによる外部との通信を遮断することを特徴とする。
【００１３】
請求項３記載の発明によれば、ワイヤーが切断されることで、保持されている遮断部材が弾性部材の弾性力により移動するため、容易且つ確実に遮断部材を移動させることができる。これにより、早期に不正使用を把握することができる。
【００１４】
請求項４に記載された発明は、前記貫通部材は、数珠状に配列された複数の球体形状を含み、前記貫通部材が切断された場合には、前記球体形状により保持された前記遮断部材が開放され、前記弾性部材により前記遮断部材を所定の方向に移動させることで、前記ＩＣタグによる外部との通信を遮断する。
【００１５】
請求項４記載の発明によれば、球体形状により保持されている遮断部材が弾性部材の弾性力により移動するため、容易且つ確実に遮断部材を移動させることができる。これにより、早期に不正使用を把握することができる。
【００１６】
請求項５に記載された発明は、前記貫通部材が切断された場合に、前記ＩＣタグの少なくとも一部を切断する切断手段を有することを特徴とする。
【００１７】
請求項５記載の発明によれば、ＩＣタグそのものを破壊して無効にすることができる。したがって、鍵の不正使用を防止することができる。
【００１８】
請求項６に記載された発明は、前記貫通部材は、導線を含み、前記導線が切断時に前記ＩＣタグから前記鍵情報を送信するための電源の供給を遮断することを特徴とする。
【００１９】
請求項６記載の発明によれば、導線が切断されることで、電源の供給が遮断されるため、容易且つ確実に通信を遮断することができる。これにより、早期に不正使用を把握することができる。
【発明の効果】
【００２０】
本発明によれば、鍵の不正使用を防止し、確実な鍵管理を行うことで業務の運用効率を向上させることができる。
【発明を実施するための最良の形態】
【００２１】
＜本発明の概要＞
本発明は、警備会社やビル管理会社等が取り扱う複数の重要な鍵の持ち出しや返却について、鍵の不正使用事案等の抑制及び鍵管理における負担軽減を実現し、業務の運用効率を向上させる鍵収納用の鍵ホルダーに関する。以下に、本発明における鍵ホルダーついて、図面を用いて説明する。
【００２２】
＜鍵ホルダーについて＞
まず、鍵を所定数の束で収納する鍵ホルダーの実施形態について説明する。なお、本実施形態における鍵ホルダーは、１又は複数の鍵を束ねる部分（例えば、鍵に設けられた開口部に挿通されるような貫通部材（フック部））が鍵を盗難するために切断等により破壊された時に、鍵ホルダー内部に収納された鍵ホルダーや、束ねたそれぞれの鍵の情報、鍵数等の鍵ホルダーを識別するための情報を記録したＩＣタグ（ＩＣチップ）の使用が無効となる機能を設ける。
【００２３】
なお、上述した貫通部材は、例えば鍵を所定数（例えば、１〜１０本程度の複数本等）が収納できるような形状（例えば、円型、楕円型等）に形成されている。
【００２４】
＜鍵ホルダー：第１の実施例＞
図１は、本実施形態における鍵ホルダーの第１の実施例を説明するための図である。図１に示す鍵ホルダー１０は、鍵に設けられた穴を通して束状に管理するためのフック状の貫通部材としてのキーリング１１と、キーリング１１が挿入されることで、所定方向に移動されるロッド１２と、シャッター部材との位置を保持する保持部材としてのストッパ１３と、少なくとも鍵ホルダー１０を識別する情報が記録されたＩＣタグ１４と、ＩＣタグ１４に対して外部との通信を遮断するためのシャッター部材１５と、シャッター部材１５を所定方向に移動させるバネ力を有する弾性部材からなるバネ部材１６とを有するよう構成されている。
【００２５】
なお、図１（ａ）は使用前（鍵装着前）の状態を示し、図１（ｂ）はロック時（鍵装着時）の状態を示し、図１（ｃ）は破壊時（切断時）の状態を示している。また、１０ａは、鍵ホルダー１０の横断面図を示し、１０ｂは、鍵ホルダー１０の上部断面図を示している。
【００２６】
図１（ａ）に示すように使用前の状態では、キーリング１１は、一方の端部が鍵ホルダー本体に挿入されておらず、またシャッター部材１５は、バネ部材１６によるバネ力により軸１８を中心に回転移動せずにストッパ１３により保持されている。なお、ストッパ１３は、外部からの力が働くことにより破壊され、取り除かれる構成となっており、例えば外部からの力により折れ易い非可撓性の樹脂等により形成される。
【００２７】
また、バネ部材１６は、軸１７を中心にシャッター部材１５を所定方向に移動させるための弾性部材であり、シャッター部材１５は、ＩＣタグ１４が外部の読み取り装置等によるデータの送受信（通信）を不可能にするような素材（例えば、金属、セラミックス等）により形成されている。
【００２８】
上述した構成において、まずキーリング１１に管理される所定数の鍵を挿入し、挿入されたキーリング１１を鍵ホルダー本体（ロッド１２側）に挿入する。これにより、図１（ｂ）に示すように、キーリング１１を鍵ホルダー本体内に差し込み収容することで、キーリング１１から鍵が抜け止めされると共に、ロッド１２が所定方向に押され、ストッパ１３は折れることで取り除かれる。また、シャッター部材１５は、ロッド１２によりある一定の位置まで押された状態で保持される。このとき、バネ部材１６は、所定の方向に移動されているため、バネ力（弾性力）により所定の方向に復元しようとする力が働いている。
【００２９】
なお、鍵ホルダー本体は、例えば樹脂等からなる箱状に形成されており、キーリング１１の端部が挿入されるとある程度の力では抜けることがないような構成（例えば、係止部や螺合部、ネジ止め等）を有している。そのため、ロッド１２も所定位置で固定されることになり、その結果、ロッド１２がシャッター部材１５を保持することができる。
【００３０】
ここで、鍵ホルダー１０から鍵を抜き取ろうとして、キーリング１１を引っ張ったり、切断したりして破壊した場合、図１（ｃ）に示すように、ロッド１２を押していたキーリング１１が無くなるため、ロッド１２がバネ部材１６のバネ力によりシャッター部材１５を介して鍵ホルダー本体の外部付近まで押し出され、更にバネ部材１６によりシャッター部材１５が軸１８を中心に回転し、ＩＣタグ１２を覆うような位置に移動する。具体的には、ＩＣタグ１４と外部の読み取り装置との間にシャッター部材１５を移動させて、ＩＣタグ１４と読み取り装置との通信を不可能にする。
【００３１】
これにより、鍵の盗難時にＩＣタグ１４による通信を無効にして、キーリング１１の破壊後のＩＣタグ１４を使用不可にすることができる。そのため、例えば鍵ホルダーのＩＣタグの情報を読み取り装置等で読み取ることで鍵の有無を管理する鍵管理装置等において、ＩＣタグを認識することができないため、その鍵ホルダーが不正に持ち出され使用されたものであることを容易且つ迅速に把握することができる。
【００３２】
＜鍵ホルダー：第２の実施例＞
図２は、本実施形態における鍵ホルダーの第２の実施例を説明するための図である。なお、これらの本発明の異なる実施形態の説明にあたり、上述した本発明の第１の実施例と同一構成部分には同一符号を付すこととし重複する説明を省略する。なお、図２（ａ）は使用前の状態を示し、図２（ｂ）はロック時の状態を示し、図２（ｃ）は破壊時の状態を示している。
【００３３】
図２に示す第２の実施例では、キーリング１１は、鍵ホルダー１０の本体と離れることができるように構成されている。また、図２に示すキーリング１１は、円形状に形成されているが本発明においては、これに限定されるものではない。また、鍵ホルダー２０にストッパピン２１が設けられている。ストッパピン２１は、シャッター部材１５を所定の位置で保持するための部材であり、非可撓性の樹脂等により形成されている。更に、シャッター部材１５とバネ部材１６が同一の軸２２を中心に回転するように設けられており、バネ部材１６のバネ力によりシャッター部材１５が所定の方向に移動（軸回転）するように構成されている。
【００３４】
ここで、図２（ｂ）に示すように、キーリング１１を鍵ホルダー本体内に差し込み収容することで、キーリング１１から鍵が抜け止めされると共に、ロッド１２によりシャッター部材１５が押される。これにより、押すストッパピン２１が折れ、シャッター部材１５は、ロッド１２により保持されることになる。
【００３５】
また、ホルダーから鍵を抜き取ろうとしてキーリング１１を切断する等のいわゆる破壊時には、キーリング１１の破片等が押し出されると共に、ロッド１２も鍵ホルダー本体の外部付近まで押し出される。これにより、ロッド１２が保持していたシャッター部材１５がバネ部材１６のバネ力により軸２２を中心に回転し、回転したシャッター部材１５が、ＩＣタグ１４上に移動することにより、上述した実施例と同様にＩＣタグ１４による通信を遮断させることができる。
【００３６】
＜鍵ホルダー：第３の実施例＞
図３は、本実施形態における鍵ホルダーの第３の実施例を説明するための図である。なお、これらの本発明の異なる実施形態の説明にあたり、上述した本発明の第１及び第２の実施例と同一構成部分には同一符号を付すこととし、重複する説明を省略する。
【００３７】
ここで、図３（ａ）は使用前（鍵装着前）の状態を示し、図３（ｂ）はロック時（鍵装着時）の状態を示し、図３（ｃ）は破壊時（切断時）の状態を示している。また、３０ａは、鍵ホルダー３０の横断面図を示し、３０ｂは、鍵ホルダー３０の上部断面図を示している。
【００３８】
また、第３の実施例では、上述したキーリングではなく、可撓性のあるフレキシブルチューブ３１を有する貫通部材を有しており、フレキシブルチューブ３１内には、例えばステンレス等の素材からなるテンションワイヤー３２を有している。更に、テンションワイヤー３２の両端には、ワイヤーかしめ３３−１，３３−２を有しており、一方のワイヤーかしめ３３−１は、鍵ホルダー３０本体に設けられたかしめ固定部３４に挿入される。
【００３９】
また、他方のワイヤーかしめ３３−２は、スライド部材３５に固定されており、バネ部材１６によるスライド部材３５の移動（軸３６による軸回転）を阻止する状態で保持されている。
【００４０】
また、第３の実施例では、鍵ホルダー３０本体にシールド部３７が設けられている。シールド部３７は、ＩＣタグ１４が外部の読み取り装置等によるデータの送受信（通信）を不可能にするような素材（例えば、金属、セラミックス等）により形成されている。
【００４１】
また、ＩＣタグ１４は、スライド部材３５上に取り付けられており、バネ部材１６によるバネ力によりスライド部材３５とバネ部材１６が同一の軸３６を中心に回転するように設けられており、バネ部材１６のバネ力によりスライド部材３５が所定の方向に移動（軸回転）するように構成されている。
【００４２】
図３（ａ）に示すように、使用前の状態では、フレキシブルチューブ３１の一方の端部が鍵ホルダー３０本体に挿入されておらず、その部分から保持する鍵が挿入され、ワイヤーかしめ３３−１をかしめ固定部３４に挿入することで、かしめ固定部３４内の返しが戻り図３（ｂ）に示すように係止されてワイヤーかしめ３３−１を抜けなくする。
【００４３】
ここで、鍵ホルダー３０から鍵を抜き取ろうとする等の破壊行為により、フレキシブルチューブ３１とテンションワイヤー３２が切断されると、図３（ｃ）に示すように、バネ部材１６によりスライド部材３５が所定位置から軸３６を中心に回転しシールド部３７の下に移動する。これにより、ＩＣタグ１４の通信がシールド部３７によりＩＣタグ１４をカバーすることで読み取り装置との通信を不可能にすることができる。
【００４４】
なお、フレキシブルチューブ３１とテンションワイヤー３２が切断されることで、ワイヤーかしめ３３−１がテンションワイヤー３２の端部になくなるため、テンションワイヤー３２がバネ部材１６による引き戻しにより、フレキシブルチューブ３１内部に入り込んでしまうために、テンションワイヤー３２の引き戻しも困難になる。これにより、ＩＣタグ１４による通信を遮断させることができ、鍵ホルダー３０の復元もできない状態にすることができる。
【００４５】
＜鍵ホルダー：第４の実施例＞
図４は、本実施形態における鍵ホルダーの第４の実施例を説明するための図である。なお、これらの本発明の異なる実施形態の説明にあたり、上述した本発明の第１〜第３の実施例と同一構成部分には同一符号を付すこととし、重複する説明を省略する。
【００４６】
ここで、図４（ａ）は使用前（鍵装着前）の状態を示し、図４（ｂ）はロック時（鍵装着時）の状態を示し、図４（ｃ）は破壊時（切断時）の状態を示している。また、４０ａは、鍵ホルダー４０の横断面図を示し、４０ｂは、鍵ホルダー３０の上部断面図を示している。
【００４７】
図４の示す第４の実施例では、上述した第３の実施例と比較して、図４（ａ）に示す使用前ではバネ部材１６に負荷がかかっていない状態となっている。また、フレキシブルチューブ３１の一方にチューブかしめ４１が設けられており、かしめ固定部４２により固定される。つまり、図４（ｂ）に示すようなロック時には、チューブかしめ４１がホルダー本体の外側に引っ張られることで、テンションワイヤー３２によりＩＣタグ１４が設置されたスライド部材３５が引っ張られてシールド部３７の外側に移動する。
【００４８】
ここで、鍵ホルダー４０から鍵を抜き取ろうとする等の破壊行為により、フレキシブルチューブ３１とテンションワイヤー３２が切断されると、図４（ｃ）に示すように、バネ部材１６によりスライド部材３５が所定位置から軸３６を中心に回転しシールド部３７の下に移動する。これにより、ＩＣタグ１４の通信がシールド部３７によりＩＣタグ１４をカバーすることで読み取り装置との通信を不可能にすることができる。
【００４９】
なお、第４の実施例も第３の実施例と同様に、フレキシブルチューブ３１とテンションワイヤー３２が切断されると、テンションワイヤー３２の引き戻しが困難になるため、鍵ホルダー４０を復元できない状態にすることができる。
【００５０】
＜鍵ホルダー：第５の実施例＞
図５は、本実施形態における鍵ホルダーの第５の実施例を説明するための図である。なお、これらの本発明の異なる実施形態の説明にあたり、上述した本発明の第１〜第４の実施例と同一構成部分には同一符号を付すこととし、重複する説明を省略する。
【００５１】
ここで、図５（ａ）は使用前（鍵装着前）の状態を示し、図５（ｂ）はロック時（鍵装着時）の状態を示し、図５（ｃ）は、ロックするまでの様子を説明するための一例を示し、図５（ｄ）は破壊時（切断時）の状態を示している。
【００５２】
図５に示す第５の実施例では、テンションワイヤー３２の両端（ワイヤーかしめ３３−１，３３−２の先端）にリング部５１−１，５１−２が形成されている。また、第５の実施例では、所定方向に水平移動するシャッター部材５２を有しており、リング部５１−２は、シャッター部材５２に設けられたフック部５３に引っ掛けられている。
【００５３】
また、鍵ホルダー５０本体には、２つの同一のバネ部材５４−１，５４−２を有しており、各バネ部材５４−１，５４−２の一端はシャッター部材５２に固定され、もう一端は鍵ホルダー５０本体の所定位置に固定されている。
【００５４】
また、バネ部材５４−１，５４−２は、シャッター部材５２により所定の方向に引っ張られており、バネ力によりシャッター部材５２を図面右方向へ移動させようとしているが、フック部５３にフックされたリング部５１−２により、シャッター部材５２がＩＣタグ１４を覆い被さらない位置で固定されている。
【００５５】
ここで、第５の実施例では、図５（ａ）に示すように使用前（鍵装着前）の状態からフレキシブルチューブ３１に鍵を通し、図５（ｂ），（ｃ）に示すように先端のリング部５１−１のリング形状を鍵ホルダー５０本体に挿入し、鍵ホルダー５０本体に設けられたフック部５５にフックさせて抜けなくさせる。
【００５６】
ここで、鍵ホルダー５０から鍵を抜き取ろうとする等の破壊行為により、フレキシブルチューブ３１とテンションワイヤー３２が切断されると、図５（ｄ）に示すように、バネ部材５４−１，５４−２によりシャッター部材５２が所定位置から水平移動し、ＩＣタグ１４上に移動する。これにより、ＩＣタグ１４の通信がシャッター部材５２によりＩＣタグ１４をカバーすることで読み取り装置との通信を不可能にすることができる。
【００５７】
なお、第５の実施例も上述した実施例と同様に、フレキシブルチューブ３１とテンションワイヤー３２が切断されると、テンションワイヤー３２の引き戻しが困難になるため、鍵ホルダー５０を復元できない状態にすることができる。
【００５８】
＜鍵ホルダー：第６の実施例＞
図６は、本実施形態における鍵ホルダーの第６の実施例を説明するための図である。なお、これらの本発明の異なる実施形態の説明にあたり、上述した本発明の第１〜第５の実施例と同一構成部分には同一符号を付すこととし、重複する説明を省略する。
【００５９】
ここで、図６（ａ）は使用前（鍵装着前）の状態を示し、図６（ｂ）はロック時（鍵装着時）の状態を示し、図６（ｃ）は破壊時（切断時）の状態を示している。
【００６０】
図６に示す第６の実施例では、上述した第５の実施例と比較すると、バネ部材５４−１，５４−２により水平移動するシャッター部材６１にＩＣタグ１４が設けられている。また、鍵ホルダー本体６０には、ＩＣタグ１４と読み取り装置との通信を遮断する遮断部６２が設けられている。なお、遮断部６２は、例えばＩＣタグ１４が外部の読取装置等とのデータの送受信が不可能になるような材質（例えば、金属やセラミック等）により形成されている。
【００６１】
第６の実施例では、図６（ａ）に示すように使用前（鍵装着前）の状態からフレキシブルチューブ３１に鍵を通し、図６（ｂ）に示すように先端のリング部５１−１のリング形状を鍵ホルダー５０本体に挿入し、鍵ホルダー５０本体に設けられたフック部５５にフックさせて抜けなくさせる。
【００６２】
ここで、鍵ホルダー６０から鍵を抜き取ろうとする等の破壊行為により、フレキシブルチューブ３１とテンションワイヤー３２が切断されると、図６（ｃ）に示すように、バネ部材５４−１，５４−２によりＩＣタグ１４が設けられたシャッター部材６１が所定位置から水平移動し、遮断部６２の下に移動する。これにより、ＩＣタグ１４の通信が遮断部６２によりＩＣタグ１４をカバーすることで読み取り装置との通信を不可能にすることができる。
【００６３】
なお、第６の実施例も上述した実施例と同様に、フレキシブルチューブ３１とテンションワイヤー３２が切断されると、テンションワイヤー３２の引き戻しが困難になるため、鍵ホルダー６０を復元できない状態にすることができる。
【００６４】
＜鍵ホルダー：第７の実施例＞
図７は、本実施形態における鍵ホルダーの第７の実施例を説明するための図である。なお、これらの本発明の異なる実施形態の説明にあたり、上述した本発明の第１乃至第６の実施例と同一構成部分には同一符号を付すこととし重複する説明を省略する。
【００６５】
ここで、図７（ａ）は使用前の状態を示し、図７（ｂ）はロック時の状態を示し、図７（ｃ）は破壊時の状態を示している。
【００６６】
図７に示す第７の実施例では、ワイヤーかしめ３３−１，３３−２を有しており、一方のワイヤーかしめ３３−１は、鍵ホルダー７０本体に設けられたかしめ固定部３４に挿入され、もう一方のワイヤーかしめ３３−２は、シャッター部材７１に固定されている。また、図７（ａ）に示すように、初期の状態では、バネ部材１６によりシャッター部材７１の移動（軸７２による軸回転）を阻止する状態で保持されている。
【００６７】
ここで、第７の実施例において鍵ホルダー７０は、図７（ａ）に示すように使用前（鍵装着前）の状態からフレキシブルチューブ３１に鍵を通して先端のワイヤーかしめ３３−１をかしめ固定部３４に挿入する。このとき、図７（ｂ）に示すように、ワイヤーかしめ３３−１がかしめ固定部３４に挿入されると、ホルダー本体（樹脂等からなるケース部）から抜けない状態となり、鍵が抜け止めされると共に、ワイヤーかしめ３３−１がかしめ固定部３４に挿入された状態で保持される。また、テンションワイヤー３２の作用方向は、図７（ｂ）に示す方向となる。
【００６８】
ここで、鍵ホルダー７０から鍵を抜き取ろうとする等の破壊行為により、フレキシブルチューブ３１とテンションワイヤー３２が切断されると、図７（ｃ）に示すように、バネ部材１６によりシャッター部材７１が所定位置から軸７２を中心に回転し、ＩＣタグ１４上に移動される。なお、この場合には、シャッター部材７１がＩＣタグ１４上を覆うように移動のみを行ってもよく、シャッター部材７１の一部、又は先端にカッター等の切断手段を設けておき、軸７２を中心にシャッター部材７１が回転する際、その切断手段によりＩＣタグ１４そのものが使用不可となるように少なくとも一部を切断してもよい。
【００６９】
これにより、ＩＣタグ１４の通信が遮断されることになる。また、フレキシブルチューブ３１とテンションワイヤー３２が切断されることで、ワイヤーかしめ３３−１がテンションワイヤー３２の端部になくなるため、テンションワイヤー３２がバネ部材１６による引き戻しにより、フレキシブルチューブ３１内部に入り込んでしまうために、テンションワイヤー３２の引き戻しも困難になる。これにより、ＩＣタグ１４による通信を遮断させることができ、鍵ホルダー７０の復元もできない状態にすることができる。
【００７０】
＜鍵ホルダー：第８の実施例＞
図８は、本実施形態における鍵ホルダーの第８の実施例を説明するための図である。なお、これらの本発明の異なる実施形態の説明にあたり、上述した本発明の第１〜第７の実施例と同一構成部分には同一符号を付すこととし、重複する説明を省略する。
【００７１】
ここで、図８（ａ）は使用前（鍵装着前）の状態を示し、図８（ｂ）はロック時（鍵装着時）の状態を示し、図８（ｃ）は破壊時（切断時）の状態を示している。
【００７２】
図８に示す第８の実施例では、テンションワイヤー３２がゼンマイバネ８１により巻き取られている。なお、ゼンマイバネ８１には、反時計回りのバネ力が働いている。また、シールド部８２は、一端がテンションワイヤー３２に取り付けられており、ゼンマイバネ８１によるテンションワイヤー３２の移動により軸８３を基準に回転移動を行う。
【００７３】
また、第８の実施例では、鍵ホルダー８０本体に取り付けられるストッパ８４と、テンションワイヤー３２に取り付けられるストッパ８５を有している。この２つのストッパ８４，８５により、テンションワイヤー３２の移動範囲を制限する。
【００７４】
ここで、第８の実施例において鍵ホルダー８０は、図８（ａ）に示すように使用前（鍵装着前）の状態からフレキシブルチューブ３１に鍵を通して先端のワイヤーかしめ３３−１をかしめ固定部３４に挿入する。このとき、図８（ｂ）に示すように、ワイヤーかしめ３３−１がかしめ固定部３４に挿入されると、ホルダー本体から抜けない状態となり、鍵が抜け止めされると共に、ワイヤーかしめ３３−１がかしめ固定部３４に挿入された状態で保持される。また、テンションワイヤー３２の作用方向は、図８（ｂ）に示す方向となる。
【００７５】
ここで、鍵ホルダー８０から鍵を抜き取ろうとする等の破壊行為により、フレキシブルチューブ３１とテンションワイヤー３２が切断されると、図８（ｃ）に示すように、ゼンマイバネ８１のバネ力によりテンションワイヤー３２が巻き取られ、この動きに連動したシールド部８２が軸８３を中心に反時計回りに回転する。この結果、ＩＣタグ１４上にシールド部８２が移動することで、ＩＣタグ１４を覆うことによりＩＣタグ１４の通信が遮断されることになる。
【００７６】
更に、シールド部８２にＩＣタグ１４を破壊するためのカッター等の切断手段８６を設け、図８（ｃ）に示すようにテンションワイヤー３２の切断による移動と共にシールド部８２が移動する際、切断手段８６によりＩＣタグ１４の少なくとも一部を切断することで、ＩＣタグ１４を破壊し、通信できない状態にすることができ、鍵の不正使用を防止することができる。
【００７７】
なお、第８の実施例も上述した実施例と同様に、フレキシブルチューブ３１とテンションワイヤー３２が切断されると、テンションワイヤー３２の引き戻しが困難になるため、鍵ホルダー８０を復元できない状態にすることができる。
【００７８】
＜鍵ホルダー：第９の実施例＞
図９は、本実施形態における鍵ホルダーの第９の実施例を説明するための図である。なお、これらの本発明の異なる実施形態の説明にあたり、上述した本発明の第１〜第８の実施例と同一構成部分には同一符号を付すこととし、重複する説明を省略する。
【００７９】
ここで、図９（ａ）は使用前（鍵装着前）の状態を示し、図９（ｂ）はロック時（鍵装着時）の状態を示し、図９（ｃ）は破壊時（切断時）の状態を示している。また、９０ａは、鍵ホルダー９０の横断面図を示し、９０ｂは、鍵ホルダー９０の上部断面図を示している。
【００８０】
図９に示す第９の実施例では、軸９２を中心に回転するカッター等の切断手段９１を有する回転式のシールド９３と滑車部９６が、ゼンマイバネ８１とワイヤーで結び付けられている。また、シールド部９３には、テンションワイヤー３２が取り付けられていると共に、回転範囲を制限するためにシールド部９３の回転を制止させる制止部材９４が設けられている。また、鍵ホルダー９０本体には、制止部材９４を受け止めるストッパ９５が設けられている。更に、シールド部９３は、所定の角度分（例えば、約１／４程度）が切り欠かれている。つまり、シールド部９３の切り欠いた部分により鍵装着時におけるＩＣタグ１４の通信を遮断しないようにしている。
【００８１】
ここで、第９の実施例において鍵ホルダー９０は、図９（ａ）に示すように使用前（鍵装着前）の状態からフレキシブルチューブ３１に鍵を通して先端のワイヤーかしめ３３−１をかしめ固定部３４に挿入する。このとき、図９（ｂ）に示すように、ワイヤーかしめ３３−１がかしめ固定部３４に挿入されると、ホルダー本体から抜けない状態となり、鍵が抜け止めされると共に、ワイヤーかしめ３３−１がかしめ固定部３４に挿入された状態で保持される。
【００８２】
ここで、鍵ホルダー９０から鍵を抜き取ろうとする等の破壊行為により、フレキシブルチューブ３１とテンションワイヤー３２が切断されると、図９（ｃ）に示すように、ゼンマイバネ８１のバネ力によりシールド部９３が軸９２を中心に反時計回りに回転する。この結果、ＩＣタグ１４上にシールド部９３が移動することで、ＩＣタグ１４の通信が遮断されることになる。
【００８３】
更に、シールド部９３に設けられた切断手段９１を用いて、シールド部９３の回転力によりＩＣタグ１４の少なくとも一部を切断等により破壊し、通信できない状態にすることができ、鍵の不正使用を防止することができる。
【００８４】
なお、第９の実施例も上述した実施例と同様に、フレキシブルチューブ３１とテンションワイヤー３２が切断されると、テンションワイヤー３２の引き戻しが困難になるため、鍵ホルダー９０を復元できない状態にすることができる。
【００８５】
＜鍵ホルダー：第１０の実施例＞
図１０は、本実施形態における鍵ホルダーの第１０の実施例を説明するための図である。なお、これらの本発明の異なる実施形態の説明にあたり、上述した本発明の第１〜第９の実施例と同一構成部分には同一符号を付すこととし、重複する説明を省略する。
【００８６】
ここで、図１０（ａ）は使用前（鍵装着前）の状態を示し、図１０（ｂ）はロック時（鍵装着時）の状態を示し、図１０（ｃ）は破壊時（切断時）の状態を示している。
【００８７】
図１０に示す第１０の実施例では、鍵ホルダー１００本体に取り付けられる弾性部材からなるバネ部材１０１と、バネ部材１０１により水平移動するシールド部１０２とを有し、シールド部１０２には、カッター等からなる切断手段１０３−１，１０３−２が設けられている。
【００８８】
また、フレキシブルチューブ３１の一方にチューブかしめ４１が設けられており、かしめ固定部４２により固定される。また、テンションワイヤー３２の一方は、ワイヤーかしめ３３−１に取り付けられ、もう一方は、シールド部１０２に取り付けられる。
【００８９】
ここで、第１０の実施例において鍵ホルダー１００は、図１０（ａ）に示すように使用前（鍵装着前）の状態からフレキシブルチューブ３１に鍵を通して先端のワイヤーかしめ３３−１をかしめ固定部３４に挿入する。なお、図１０（ｂ）に示すようなロック時には、チューブかしめ４１がホルダー本体の外側に引っ張られることで、テンションワイヤー３２によりシールド部１０２が引っ張られてバネ部材１０１が縮んだ状態となる。
【００９０】
ここで、鍵ホルダー１００から鍵を抜き取ろうとする等の破壊行為により、フレキシブルチューブ３１とテンションワイヤー３２が切断されると、図１０（ｃ）に示すように、テンションワイヤー３２が緩み、バネ部材１０１がバネ力により伸びることで、シールド部１０２が水平移動する。この結果、ＩＣタグ１４上にシールド部１０２が通過することで、切断手段１０３−１，１０３−２によりＩＣタグ１４の少なくとも一部を切断等により破壊し、読み取り装置等と通信できない状態にすることができ、鍵の不正使用を防止することができる。
【００９１】
なお、第１０の実施例も上述した実施例と同様に、フレキシブルチューブ３１とテンションワイヤー３２が切断されると、テンションワイヤー３２の引き戻しが困難になるため、鍵ホルダー１００を復元できない状態にすることができる。
【００９２】
＜鍵ホルダー：第１１の実施例＞
図１１は、本実施形態における鍵ホルダーの第１１の実施例を説明するための図である。なお、これらの本発明の異なる実施形態の説明にあたり、上述した本発明の第１〜第１０の実施例と同一構成部分には同一符号を付すこととし、重複する説明を省略する。
【００９３】
ここで、図１１（ａ）はロック時（鍵装着時）の状態を示し、図１１（ｂ）は破壊時（切断時）の状態を示し、図１１（ｃ）は破壊後（切断後）の状態を示している。また、１１０ａは、鍵ホルダー１１０の横断面図を示し、１１０ｂは、鍵ホルダー１１０の上部断面図を示している。
【００９４】
図１１に示す第１１の実施例では、鍵ホルダー１１０本体にシールド付カッター部１１１と、バネ部材１１２と、ロッド１１３と、球体形状又はそれに類似する多角形形状等からなる数珠１１４と、遊び調節用バネ部材１１５と、バネ縮み防止部１１６と、シールド付カッター部１１１の移動を制止させるカッター制止部１１７と、バネ部材１６に取り付けされたストッパ１１８とを有するよう構成されている。つまり、フレキシブルチューブ３１内には、複数の球体形状が数珠状に配列されている。
【００９５】
また、第１１の実施例では、シールド付カッター部１１１にバネ部材１１２の一端が取り付けられており、バネ部材１１２のバネ力により所定の方向に水平移動を行う。また、ストッパ１１８は、バネ部材１１２のバネ力によるシールド付カッター部１１１を移動させないように保持するためのものであり、バネ部材１６のバネ力により所定方向に軸回転移動を行う。
【００９６】
なお、第１１の実施例では、遊び調節用バネ部材１１５の伸縮によって、チューブ内の数珠間の遊びを調節している。つまり、フレキシブルチューブ３１内の遊び調節用バネ部材１１５の伸びる力により、数珠１１４の遊びがない状態が保持される。更に、バネ部材１１２が縮み過ぎることがないように、バネ縮み防止部１１６によりシールド付カッター部１１１を所定位置で保持する。
【００９７】
ここで、第１１の実施例において鍵ホルダー１１０は、最初は図１１（ａ）に示すようにフレキシブルチューブ３１に鍵を通して鍵ホルダー１１０本体に挿入された状態になっている。ここで、図１１（ｂ）に示すように、鍵ホルダー１１０から鍵を抜き取ろうとする等の破壊行為により、フレキシブルチューブ３１が切断されると、図１１（ｃ）に示すようにバネ部材１６のバネ力により、ストッパ１１８が所定方向に軸回転移動し、切断部からロッド１１３及び数珠１１４を鍵ホルダー１１０の外部へ移動させる。また、遊び調節用バネ部材１１５によりによるバネ力により切断部から数珠１１４を鍵ホルダー１１０の外部へ移動させる。
【００９８】
また、上述したストッパ１１８が外れたシールド付カッター部１１１は、バネ部材１１２によるバネ力により所定方向に水平移動を行いＩＣタグ１４上に移動することにより、ＩＣタグ１４上にシールド付カッター部１１１が移動することで、ＩＣタグ１４を覆うことによりＩＣタグ１４の通信が遮断される。また、シールド付カッター部１１１によるカッター等の切断手段によりＩＣタグ１４の少なくとも一部を切断することで、ＩＣタグ１４を破壊し、通信できない状態にすることができ、鍵の不正使用を防止することができる。
【００９９】
なお、第１１の実施例では、フレキシブルチューブ３１が切断されると、ロッド１１３及び数珠１１４が外部に出てしまうため、鍵ホルダー１１０を復元できない状態にすることができる。
【０１００】
＜鍵ホルダー：第１２の実施例＞
図１２は、本実施形態における鍵ホルダーの第１２の実施例を説明するための図である。なお、これらの本発明の異なる実施形態の説明にあたり、上述した本発明の第１〜第１１の実施例と同一構成部分には同一符号を付すこととし、重複する説明を省略する。
【０１０１】
ここで、図１２（ａ）は接触方式のロック時の状態を示し、図１２（ｂ）は破壊時の状態を示している。また、図１２（ａ）において、１２０ａは鍵ホルダー１２０の横断面図を示し、１２０ｂは鍵ホルダー１２０の上部断面図を示している。
【０１０２】
図１２に示す第１２の実施例において、鍵ホルダー１２０は、中空状のキーリング１２１と、その中空内に挿入される導線１２２と、導線１２２と接触し、鍵ホルダー１２０内で電気的に導通可能な接触端子１２３により構成されている。なお、接触端子１２３は、鍵収納ケースの接触子１２４と接触可能な構成となっている。これにより、ケース側からの接触子１２４によりタグの接触端子１２３に通電され、ケース側の読み取り部がＩＣタグ内に記録された情報の通信が可能となり、これにより鍵ホルダー１２０の認証を行うことができる。なお、この状態のときには、キーリング１２１により所定数の鍵が収容されている。
【０１０３】
ここで、ホルダーから鍵を抜き取ろうとして中空状のキーリング１２１が破壊された場合には、図１２（ｂ）に示すように、キーリング１２１内部の導線１２２も切断される。このため、鍵ホルダー１２０内で電気的な導通が取れなくなり鍵収納ケース側の読み取り部が機能しなくなる。その結果、ＩＣタグ１４を認識することはできなくなる。これにより、ＩＣタグ１４における通信を遮断することができる。
【０１０４】
なお、上述した本発明における鍵ホルダーの第１〜第１２の実施例で示した各構成部の位置や大きさ、形状、材質等については特に限定されるものではなく、本発明を実施可能な範囲内で任意に設定することができる。
【０１０５】
＜鍵管理装置＞
ここで、上述した鍵ホルダーをまとめて管理する鍵管理装置について図を用いて説明する。なお、以下の説明では、上述した鍵ホルダーを、警備会社における警備対象物件の鍵管理に使用した場合の内容とする。
【０１０６】
上述した鍵ホルダーは、鍵管理装置で管理されている。鍵管理装置は、例えば鍵ホルダーが１〜５０束程度の複数束収納できるようにし、鍵ホルダーの所在確認、持ち出し・返却表示として、例えばＬＥＤ（Ｌｉｇｈｔ  Ｅｍｉｔｔｉｎｇ  Ｄｉｏｄｅ）等による表示部を設ける。また、鍵管理装置は、鍵ホルダーのＩＣタグの読み取りを行い、鍵の持ち出しや返却の状態を管理することができる。
【０１０７】
また、鍵管理装置は、鍵管理制御装置と、鍵収納ケースとを有すよう構成されている。鍵管理制御装置は、複数の鍵収納ケースと接続することができる。また、鍵収納ケースは、上述した鍵ホルダーを所定の位置に収納し、必要に応じて持ち出し、返却が可能となる機能を有する。このとき、不正に鍵が抜き取られた否か、鍵ホルダーの収納位置が正しいか否かを鍵ホルダー内部のＩＣタグ等により認証することができる。
【０１０８】
＜鍵収納ケース内部の概要構成例＞
次に、鍵収納ケース内部の概要構成例について図を用いて説明する。図１３は、鍵収納ケース内部の概要構成例を示す図である。鍵収納ケース１３０の内部は、図１３（ａ）に示すように複数の鍵ホルダー個別収納ユニット１３１−１，１３１−２，・・・が配設されている。また、鍵ホルダー個別収納ユニット１３１は、予め設定された警備場所への扉等を開錠又は施錠するための鍵が、あるユニット部分を必要時に点灯させる表示部１３２と鍵ホルダー収納部１３３とを有している。
【０１０９】
また、図１３（ｂ）は、鍵ホルダー個別収納ユニット１３１の拡大図を示している。図１３（ｂ）の拡大図に示すように、鍵束として管理される各鍵１３４は、鍵１３４に設けられた開口部１３５に上述したキーリング等の貫通部材１３６を貫通させている。このようにして複数の鍵を鍵束として管理する鍵ホルダーを鍵ホルダー収納部１３３に挿入して保管（収納）する。
【０１１０】
また、図１４は、鍵ホルダーの収納手順を説明するための一例を示す図である。図１４（ａ）〜図１４（ｃ）は、上述した鍵ホルダーを鍵束個別収納ユニット１３１に収納するための動作を示している。なお、図１４に示す鍵ホルダー１４０には、鍵ホルダー本体（鍵タグ）１４１に開口部１４２を有している。また、鍵ホルダー本体１４１には、鍵束個別収納ユニット１３１の鍵ホルダー収納部１３３への挿入方向に対して切欠き部１４３を有している。
【０１１１】
この切欠き部１４３は、鍵束個別収納ユニット１３１を鍵ホルダー収納部１３３に挿入する時にロッド１４４を押し下げるものであり、鍵ホルダー１４０が所定の方向まで挿入されると鍵ホルダー本体１４１の開口部１４２にロッド１４４がプランジャ１４５により挿入され、固定される。また、鍵束個別収納ユニット１３１には、上述した本体内部に設けられたＩＣタグの情報を読み取るための読み取りセンサー（タグ読み取り部）１４６を有している。更に、マイクロスイッチ１４７と、鍵ホルダー本体１４１が収納されたことを感知するための端子１４８を有している。
【０１１２】
ここで、まず図１４（ａ）の状態から図１４（ｂ）に示すように鍵ホルダー本体１４１を鍵ホルダー収納部１３３に挿入させると、プランジャ１４５のロッド１４４が切欠き部１４３により下に押し下げられ、鍵ホルダー本体１４１が更に奥へと移動することができる。
【０１１３】
鍵ホルダー本体１４１の移動が進むと、図１４（ｃ）に示すように、プランジャ１４５のロッド１４４がロックピンの溝（開口部）１４２に挿入され、ロックされる。ここで、マイクロスイッチ１４７により収納を感知し、上述した鍵ホルダー本体１４１内のＩＣタグを読み取ることにより、正しい位置へ収納されたか、鍵が不正使用されているか否か等を判断することができる。
【０１１４】
＜鍵収納ケースの機能構成＞
次に、鍵収納ケースの機能構成例について説明する。本実施形態における鍵収納ケース１３０は、使用時に警備対象物件の鍵ホルダーの所在位置をＬＥＤ等により表示（点灯）する表示手段や、鍵束に付いた収納用ＩＣタグの情報を読み取り、所定の場所に保管されたか否かを確認する鍵情報読取手段、使用者に対してこれから使用する鍵の位置を音声やランプ等により通知したり、所定の鍵位置にセットされていない鍵ホルダーの位置を通知する通知手段等の機能を有する。
【０１１５】
＜鍵の持ち出し例＞
次に、鍵の持ち出し例について説明する。鍵を持ち出す場合には、例えば鍵管理制御装置のテンキー操作部等を操作し、持ち出す鍵ホルダーの番号を入力する。その後、鍵収納ケース１３０は、鍵ホルダー持ち出し前には、状態表示灯を点滅させ、扉の解錠を行い、鍵ホルダー個別収納ユニットの対象部分のＬＥＤを点滅させ、ロックを開放する。また、鍵収納ケース１３０は、鍵束を持ち出し後、鍵束を取り出し、扉を閉める。また、状態表示灯を消灯し、扉を施錠する。更に、鍵ホルダー個別収納ユニットの対象部分のＬＥＤを消灯させ、ロック（施錠）する。
【０１１６】
＜鍵の返却例＞
また、使用後に鍵を返却する際には、鍵管理制御装置を操作し、返却操作状態にする。また、鍵管理制御装置は、返却操作状態、収納用ＩＣタグ待受け状態へ移行するため、収納用ＩＣタグをかざす。その後、鍵収納ケース１３０は、鍵束返却前には、状態表示灯を点滅させ、扉の解錠を行い、鍵束個別収納ユニットの対象部分のＬＥＤを点滅させ、ロックを開放する。また、鍵収納ケース１３０は、鍵束を返却した後、鍵束を取り出し、扉を閉める。また、状態表示灯を消灯し、扉を施錠する。更に、鍵束個別収納ユニットの対象部分のＬＥＤを消灯させ、ロック（施錠）する。
【０１１７】
なお、鍵の持ち出し・返却時の操作はテンキー操作のみならず、ＩＣカード等の非接触媒体を用いても良い。その場合、カードにより操作する個人を識別し、鍵を持ち出す権限がある人にのみ鍵管理制御装置の操作を許可することができるので、更に確実な鍵管理を実現し、不正使用等の抑制を図ることができる。
【０１１８】
上述したように本発明によれば、上述した鍵ホルダーを用いることで、鍵の不正使用を防止し、確実な鍵管理を実現することができるため、業務の運用効率を向上させることができる。具体的には、不正使用の防止については、正当な者以外による警備鍵の不正な持ち出しや、特定の鍵の取り出しを抑止したり、鍵収納用ＩＣタグの複製自体を不可能にしたりすることができる。
【０１１９】
したがって、例えば鍵ホルダーのＩＣタグの情報を読み取り装置等で読み取ることで鍵の有無を管理する鍵管理装置等において、不正に持ち出された鍵ホルダーではＩＣタグを認識することができないため、正当な手順を経ず不正に持ち出され使用されたものであることを容易且つ迅速に把握することができる。
【０１２０】
以上本発明の好ましい実施形態について詳述したが、本発明は係る特定の実施形態に限定されるものではなく、特許請求の範囲に記載された本発明の要旨の範囲内において、種々の変形、変更が可能である。
【０１２１】
更に、本発明を警備業の分野に適用することで、警備対象先の鍵管理をシステム化することができ、重要な鍵を確実に管理できるだけではなく、警備対象先からの警報受信から警報の対応・処置までの時間を短縮でき、運用の効率化につなげることができる。
【０１２２】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【０１２３】
【図１】本実施形態における鍵ホルダーの第１の実施例を説明するための図である。
【図２】本実施形態における鍵ホルダーの第２の実施例を説明するための図である。
【図３】本実施形態における鍵ホルダーの第３の実施例を説明するための図である。
【図４】本実施形態における鍵ホルダーの第４の実施例を説明するための図である。
【図５】本実施形態における鍵ホルダーの第５の実施例を説明するための図である。
【図６】本実施形態における鍵ホルダーの第６の実施例を説明するための図である。
【図７】本実施形態における鍵ホルダーの第７の実施例を説明するための図である。
【図８】本実施形態における鍵ホルダーの第８の実施例を説明するための図である。
【図９】本実施形態における鍵ホルダーの第９の実施例を説明するための図である。
【図１０】本実施形態における鍵ホルダーの第１０の実施例を説明するための図である。
【図１１】本実施形態における鍵ホルダーの第１１の実施例を説明するための図である。
【図１２】本実施形態における鍵ホルダーの第１２の実施例を説明するための図である。
【図１３】鍵収納ケース内部の概要構成例を示す図である。
【図１４】鍵ホルダーの収納手順を説明するための一例を示す図である。
【符号の説明】
【０１２４】
１０，２０，３０，４０，５０、６０，７０，８０，９０，１００，１１０，１２０  鍵ホルダー
１１，１２１  キーリング
１２，１１３  ロッド
１３  ストッパ
１４  ＩＣタグ
１５，５２，６１，７１  シャッター部材
１６，５４，１０１，１１２  バネ部材
１７，１８，２２，３６，７２，８３，９２  軸
２１  ストッパピン
３１  フレキシブルチューブ
３２  テンションワイヤー
３３  ワイヤーかしめ
３４，４２  かしめ固定部
３５  スライド部材
３７，８２，９３，１０２  シールド部
４１  チューブかしめ
５１  リング部
５３，５５  フック部
６２  遮断部
８１  ゼンマイバネ
８４，８５，９５，１１８  ストッパ
８６，９１，１０３  切断手段
９４  制止部材
９６  滑車部
１１１  シールド付カッター部
１１４  数珠
１１５  遊び調節用バネ部材
１１６  バネ縮み防止部
１１７  カッター制止部
１２２  導線
１２３  接触端子
１２４  接触子
１３０  鍵収納ケース
１３１  鍵束個別収納ユニット
１３２  表示部
１３３  鍵ホルダー収納部
１３４  鍵
１３５，１４２  開口部
１３６  貫通部材
１４１  鍵ホルダー本体（鍵タグ）
１４３  切欠き部
１４５  プランジャ
１４６  読み取りセンサー（タグ読み取り部）
１４７  マイクロスイッチ
１４８  端子
【図１】
2009179969.tif 000003
【図２】
2009179969.tif 000004
【図３】
2009179969.tif 000005
【図４】
2009179969.tif 000006
【図５】
2009179969.tif 000007
【図６】
2009179969.tif 000008
【図７】
2009179969.tif 000009
【図８】
2009179969.tif 000010
【図９】
2009179969.tif 000011
【図１０】
2009179969.tif 000012
【図１１】
2009179969.tif 000013
【図１２】
2009179969.tif 000014
【図１３】
2009179969.tif 000015
【図１４】
2009179969.tif 000016